(57)【要約】【課題】  鍵の前後方向の長さを短くしても、演奏に支障が生じることなく、装置全体の小型化を図ることができる鍵盤装置を提供する。【解決手段】  黒鍵１３は、鍵盤シャーシ１上に上下方向に回転可能な状態で取り付けられた鍵本体部２０と、この鍵本体部２０上にその前後方向にスライド可能に取り付けられた鍵操作部２１とに、分割されている。従って、白鍵１２の前後方向の長さを短くしても、黒鍵１３の鍵操作部２１における前後方向の長さを十分に確保することができると共に、演奏時に黒鍵１３の鍵操作部２１を後方にスライドさせて、黒鍵１３の鍵操作部２１と白鍵１２との前後方向の配列状態を最適化できるので、演奏者に違和感が生じることがなく、良好に演奏することができる。また、演奏しないときには、黒鍵１３の鍵操作部２１を前方にスライドさせて、装置全体の奥行きを短くできるので、装置全体の小型化を図ることができる。【選択図】        図４
2011227273.tif 000002
【特許請求の範囲】
【請求項１】
白鍵および黒鍵からなる複数の鍵が鍵盤シャーシ上に配列されて上下方向にそれぞれ回転可能な状態で取り付けられた鍵盤装置において、
前記黒鍵は、前記鍵盤シャーシ上に上下方向に回転可能な状態で取り付けられた鍵本体部と、この鍵本体部上にその前後方向にスライド可能に取り付けられた鍵操作部とに、分割されていることを特徴とする鍵盤装置。
【請求項２】
前記鍵本体部上に前記鍵操作部を前記鍵本体部の前後方向にスライド可能にガイドするガイド部材を備えていることを特徴とする請求項１に記載の鍵盤装置。
【請求項３】
前記鍵本体部に対する前記鍵操作部のスライド位置を規制するための位置規制部を備えていることを特徴とする請求項１または請求項２に記載の鍵盤装置。
【請求項４】
前記鍵操作部は、下側に開放された中空状の操作部本体と、この操作部本体の下面に設けられたスライド部とで構成されていることを特徴とする請求項１〜請求項３のいずれかに記載の鍵盤装置。
【発明の詳細な説明】
【技術分野】
【０００１】
この発明は、電子ピアノや電子オルガンなどの鍵盤装置に関する。
【背景技術】
【０００２】
一般に、電子ピアノなどの鍵盤装置は、白鍵および黒鍵からなる複数の鍵を鍵盤シャーシ上に配列させて上下方向にそれぞれ回転可能に取り付ける際に、黒鍵の前後方向の長さを白鍵よりも短くし、黒鍵の前端部を白鍵の前端部よりも後方に位置させて、黒鍵と白鍵との前後方向の位置をずらすことにより、演奏するときに白鍵と共に黒鍵を良好に押鍵操作することができるように構成されている。
【０００３】
このような従来の鍵盤装置においては、特許文献１に記載されているように、白鍵および黒鍵からなる複数の鍵のうち、黒鍵を鍵本体部と鍵操作部とに分割し、この鍵操作部を鍵本体部上に取り付けるように構成したものが知られている。この場合、黒鍵は、分割された鍵操作部を中空部に形成し、この中空部内に錘を収納させて鍵本体部上に取り付けることにより、黒鍵の重量を重くして、鍵タッチ感を調整するように構成されている。
【先行技術文献】
【特許文献】
【０００４】
【特許文献１】特開２００１−１４７６８６号公報
【発明の概要】
【発明が解決しようとする課題】
【０００５】
しかしながら、このような従来の鍵盤装置では、黒鍵を鍵本体部と鍵操作部とに分割しても、この分割された鍵操作部を鍵本体部上に単に取り付けている構成であるから、装置全体の小型化を図るために、白鍵と黒鍵との前後方向における位置ずれを一定に保った状態で、白鍵の前後方向の長さを短くすると、黒鍵の前後方向の長さが極端に短くなる。また、白鍵の前後方向の長さを短くして、黒鍵の前後方向の長さを十分に確保すると、黒鍵と白鍵との前後方向における位置ずれが極端に短くなる。
【０００６】
このため、このような従来の鍵盤装置においては、上述したいずれの場合においても、演奏者が演奏する際に、白鍵と黒鍵との前後方向における配列状態に違和感を生じ、この違和感によって演奏に支障が生じ、良好に演奏することができないばかりか、装置全体の奥行きを短くして、装置全体の小型化を図ることができないという問題がある。
【０００７】
この発明が解決しようとする課題は、鍵の前後方向の長さを短くしても、演奏に支障が生じることなく、装置全体の小型化を図ることができる鍵盤装置を提供することである。
【課題を解決するための手段】
【０００８】
この発明は、上記課題を解決するために、次のような構成要素を備えている。
請求項１に記載の発明は、白鍵および黒鍵からなる複数の鍵が鍵盤シャーシ上に配列されて上下方向に回転可能な状態で取り付けられた鍵盤装置において、前記黒鍵は、前記鍵盤シャーシ上に上下方向に回転可能な状態で取り付けられた鍵本体部と、この鍵本体部上にその前後方向にスライド可能に取り付けられた鍵操作部とに、分割されていることを特徴とする鍵盤装置である。
【０００９】
請求項２に記載の発明は、前記鍵本体部上に前記鍵操作部を前記鍵本体部の前後方向にスライド可能にガイドするガイド部材を備えていることを特徴とする請求項１に記載の鍵盤装置である。
【００１０】
請求項３に記載の発明は、前記鍵本体部に対する前記鍵操作部のスライド位置を規制するための位置規制部を備えていることを特徴とする請求項１または請求項２に記載の鍵盤装置である。
【００１１】
請求項４に記載の発明は、前記鍵操作部が、下側に開放された中空状の操作部本体と、この操作部本体の下面に設けられたスライド部とで構成されていることを特徴とする請求項１〜請求項３のいずれかに記載の鍵盤装置である。
【発明の効果】
【００１２】
この発明によれば、白鍵の前後方向の長さを短くしても、黒鍵の鍵操作部の前後方向の長さを十分に確保することができると共に、演奏するときに黒鍵の鍵操作部を後方にスライドさせて、黒鍵の鍵操作部と白鍵との前後方向における配列状態を最適化することができるので、演奏者に違和感が生じることがなく、良好に演奏することができると共に、演奏しないときに黒鍵の鍵操作部を前方にスライドさせて、装置全体の奥行きを短くすることができるので、装置全体の小型化を図ることができる。
【図面の簡単な説明】
【００１３】
【図１】この発明を電子鍵盤楽器に適用した一実施形態において、演奏しない状態を示した平面図である。
【図２】図１に示された電子鍵盤楽器のＡ−Ａ矢視における拡大断面図である。
【図３】図２に示された電子鍵盤楽器における白鍵を示した拡大断面図である。
【図４】図１に示された電子鍵盤楽器のＢ−Ｂ矢視における拡大断面図である。
【図５】図４に示された電子鍵盤楽器における黒鍵を示した拡大断面図である。
【図６】図１に示された電子鍵盤楽器において、演奏する際に全ての黒鍵の鍵操作部を後方にスライドさせた状態を示した平面図である。
【図７】図６に示された電子鍵盤楽器における要部を示した拡大斜視図である。
【図８】図７に示された電子鍵盤楽器において、黒鍵の鍵本体部から鍵操作部を取り外した状態の要部を示した拡大斜視図である。
【図９】図７に示された電子鍵盤楽器における黒鍵の鍵操作部を示した拡大側面図である。
【図１０】図９に示された黒鍵の鍵操作部を示し、（ａ）はその鍵操作部を後方（図９の右側）から見た拡大背面図、（ｂ）はその鍵操作部のＣ−Ｃ矢視における拡大断面図である。
【図１１】図９に示された黒鍵の鍵操作部において、スライド部を斜め上方から見た拡大斜視図である。
【図１２】図１１に示されたスライド部の要部を示した拡大斜視図である。
【図１３】図１に示された電子鍵盤楽器を円筒状の収納ケースに収納して携帯する状態を示した図である。
【図１４】この発明を適用した電子鍵盤楽器の黒鍵におけるガイド部材の変形例において要部を分解して示した拡大斜視図である。
【発明を実施するための形態】
【００１４】
以下、図１〜図１３を参照して、この発明を電子鍵盤楽器に適用した一実施形態について説明する。
この電子鍵盤楽器は、図１〜図５に示すように、鍵盤シャーシ１と、この鍵盤シャーシ１上に配列されて上下方向にそれぞれ回転可能な状態で取り付けられた複数の鍵２と、鍵盤シャーシ１上に設けられて複数の鍵２の押鍵操作に応じてそれぞれスイッチ信号を出力する鍵スイッチ部３と、電源や音色などの各種の操作スイッチを有する操作部４とを備えている。
【００１５】
鍵盤シャーシ１は、合成樹脂からなり、図１〜図４に示すように、楽器ケースの下部ケースを構成するものであり、複数の鍵２の配列方向に沿って長く形成されている。この鍵盤シャーシ１の後端部（図２では右端部）には、図２および図４に示すように、後脚部５が底部から上部に亘って形成されている。この後脚部５には、複数の鍵２を取り付けるための櫛歯形状の鍵取付板６がビス６ａによって取り付けられている。
【００１６】
また、この鍵盤シャーシ１の後側上部（図２では右側上部）には、図２および図４に示すように、回路基板７が取り付けられている。この回路基板７には、電子鍵盤楽器に必要な各種の電子部品７ａが搭載されている。この鍵盤シャーシ１の前後方向（図２では左右方向）における上部のほぼ中間部には、鍵スイッチ部３が設けられている。
【００１７】
この鍵スイッチ部３は、図２および図４に示すように、鍵盤シャーシ１上に配置されて複数の鍵２の配列方向に沿って連続するスイッチ基板８と、このスイッチ基板８上に設けられて複数の鍵２の配列方向に沿って連続するゴムシート９とを備えている。このゴムシート９には、一対のドーム形状の膨出部９ａ、９ｂが各鍵２にそれぞれ対応して設けられている。
【００１８】
また、この鍵スイッチ部３は、一対のドーム形状の膨出部９ａ、９ｂ内にそれぞれ可動接点（図示せず）が設けられ、押鍵操作された鍵２によって一対のドーム形状の膨出部９ａ、９ｂが押圧されて弾性変形した際に、可動接点がスイッチ基板８上に設けられた一対の固定接点（図示せず）に時間差をもって順次接触することにより、スイッチ信号を出力するように構成されている。
【００１９】
さらに、この鍵盤シャーシ１の前端部（図２では左端部）には、図２および図４に示すように、前脚部１０が上部から底部に亘って形成されている。この前脚部１０には、開口部１０ａが形成されている。この前脚部１０の上部には、鍵２の横触れを防ぐための鍵ガイド部１１が、起立して設けられている。
【００２０】
また、この鍵盤シャーシ１上における複数の鍵２の配列方向の側端部（図１では左端部）には、図１および図６に示すように、操作部４が上方に露呈した状態で設けられている。この操作部４には、電源スイッチや音色選択スイッチなどの電子鍵盤楽器に必要な各種のスイッチが、外部から操作可能な状態で設けられている。
【００２１】
一方、複数の鍵２は、図１および図６に示すように、複数の白鍵１２と複数の黒鍵１３とを有している。白鍵１２は、図２および図３に示すように、その後端部（図２では右端部）に回転取付部１４が上部から下側に向けて垂下されている。この回転取付部１４は、その上下方向における中間部に設けられた樹脂ヒンジ部１５と、この樹脂ヒンジ部１５の下部に設けられた取付部１６とを備えている。
【００２２】
樹脂ヒンジ部１５は、肉厚の薄い板状の薄肉部であり、白鍵１２の押圧操作に応じて白鍵１２の前後方向に撓むように構成されている。また、取付部１６は、鍵盤シャーシ１の後脚部５の鍵取付板６に取り付けられるように構成されている。これにより、白鍵１２は、押圧操作に応じて樹脂ヒンジ部１５が白鍵１２の前後方向に撓むことにより、この樹脂ヒンジ部１５を中心に上下方向に回転するように構成されている。
【００２３】
また、この白鍵１２には、図２および図３に示すように、一対のスイッチ押圧部１７ａ、１７ｂが、鍵盤シャーシ１に設けられた鍵スイッチ部３に対応して設けられている。この一対のスイッチ押圧部１７ａ、１７ｂは、白鍵１２の前側に位置するスイッチ押圧部１７ａの上下方向の長さが、白鍵１２の後側に位置するスイッチ押圧部１７ｂよりも、少し長く形成されている。これにより、一対のスイッチ押圧部１７ａ、１７ｂは、白鍵１２が押鍵操作された際に、時間差をもって鍵スイッチ部３の各膨出部９ａ、９ｂを順次押圧するように構成されている。
【００２４】
さらに、この白鍵１２の前側（図２では左側）には、図２および図３に示すように、白鍵１２が鍵盤シャーシ１の上方に抜け出すのを防ぐための抜止め部１８が、鍵盤シャーシ１の前脚部１０に沿って下側に突出して設けられている。この抜止め部１８の下端部には、図２に示すように、鍵盤シャーシ１の前脚部１０の開口部１０ａ内に上下方向に移動可能に挿入するフック部１８ａが後方に突出して設けられている。
【００２５】
これにより、抜止め部１８は、白鍵１２が押鍵操作されていない初期状態のときに、図２に示すように、白鍵１２の後端部に位置する回転取付部１４の樹脂ヒンジ部１５の弾性復帰力によって、この樹脂ヒンジ部１５を中心に時計回りに回転することにより、フック部１８ａが前脚部１０の開口部１０ａ内を上方に向けて移動し、この移動したフック部１８ａが鍵盤シャーシ１の前側上部に設けられた上限ストッパ部１９ａに当接して、白鍵１２を上限位置に規制するように構成されている。
【００２６】
また、この抜止め部１８は、白鍵１２が押鍵操作された際に、白鍵１２の後端部に位置する回転取付部１４の樹脂ヒンジ部１５がその弾性力に抗して撓むことにより、この樹脂ヒンジ部１５を中心に白鍵１２が反時計回りに回転して、フック部１８ａが前脚部１０の開口部１０ａ内を下方に向けて移動し、この移動したフック部１８ａが鍵盤シャーシ１の前側下部に設けられた下限ストッパ部１９ｂに当接して、白鍵１２を下限位置に規制するように構成されている。
【００２７】
一方、黒鍵１３は、図４および図５に示すように、鍵盤シャーシ１上に上下方向に回転可能な状態で取り付けられた鍵本体部２０と、この鍵本体部２０上にその前後方向（図４では左右方向）にスライド可能に取り付けられた鍵操作部２１とを備えている。この黒鍵１３の鍵本体部２０は、図８に示すように、各白鍵１２の間に配置され、その前後方向の長さが白鍵１２よりも短く形成されている。
【００２８】
すなわち、この鍵本体部２０は、図８に示すように、その後端部（図８では右端部）が白鍵１２の後端部（図８では右端部）と同じ位置で、前端部（図８では左端部）が白鍵１２の前端部（図８では左端部）よりも後方（図８では右側）に位置するように構成されている。また、この鍵本体部２０は、その上面が白鍵１２の上面と同じ高さに形成されている。
【００２９】
この鍵本体部２０も、白鍵１２と同様、その後端部（図４では右端部）に回転取付部２２が上部から下側に向けて垂下されている。この回転取付部２２は、その上下方向における中間部に設けられた樹脂ヒンジ部２３と、この樹脂ヒンジ部２３の下部に設けられた取付部２４とを備えている。
【００３０】
樹脂ヒンジ部２３は、白鍵１２と同様、肉厚の薄い板状の薄肉部であり、黒鍵１３の押圧操作に応じて黒鍵１３の前後方向に撓むように構成されている。また、取付部２４は、白鍵１２と同様、鍵盤シャーシ１の後脚部５の鍵取付板６に取り付けられるように構成されている。これにより、黒鍵１３の鍵本体部２０は、押圧操作に応じて樹脂ヒンジ部２３が黒鍵１３の前後方向に撓むことにより、この樹脂ヒンジ部２３を中心に上下方向に回転するように構成されている。
【００３１】
また、この黒鍵１３の鍵本体部２０には、図４および図５に示すように、一対のスイッチ押圧部２５ａ、２５ｂが鍵盤シャーシ１に設けられた鍵スイッチ部３に対応して設けられている。この一対のスイッチ押圧部２５ａ、２５ｂは、鍵本体部２０の前側に位置するスイッチ押圧部２５ａの上下方向の長さが、鍵本体部２０の後側に位置するスイッチ押圧部２５ｂよりも、少し長く形成されている。これにより、一対のスイッチ押圧部２５ａ、２５ｂは、黒鍵１３が押鍵操作された際に、時間差をもって鍵スイッチ部３の各膨出部９ａ、９ｂを順次押圧するように構成されている。
【００３２】
さらに、この黒鍵１３の鍵本体部２０の前側（図４では左側）には、図４および図５に示すように、黒鍵１３が鍵盤シャーシ１の上方に抜け出すのを防ぐための抜止め部２６が、鍵盤シャーシ１の前脚部８に沿って下側に突出して設けられている。この抜止め部２６は、鍵本体部２０の前後方向における設置位置が、白鍵１２の抜止め部１８と同じ設置位置に設けられている。また、この抜止め部２６の下端部には、図４に示すように、鍵盤シャーシ１の前脚部１０の開口部１０ａ内に上下方向に移動可能に挿入するフック部２６ａが後方に突出して設けられている。
【００３３】
これにより、抜止め部２６は、黒鍵１３が押鍵操作されていない初期状態のときに、図４に示すように、鍵本体部２０の後端部に位置する回転取付部２２の樹脂ヒンジ部２３の弾性復帰力によって、この樹脂ヒンジ部２３を中心に時計回りに回転することにより、フック部２６ａが前脚部１０の開口部１０ａ内を上方に向けて移動し、この移動したフック部２６ａが鍵盤シャーシ１の前側上部に設けられた上限ストッパ部１９ａに当接して、黒鍵１３を上限位置に規制するように構成されている。
【００３４】
また、この抜止め部２６は、黒鍵１３が押鍵操作された際に、黒鍵１３の後端部に位置する回転取付部２２の樹脂ヒンジ部２３がその弾性力に抗して撓むことにより、この樹脂ヒンジ部２３を中心に黒鍵１３が反時計回りに回転して、フック部２６ａが前脚部１０の開口部１０ａ内を下方に向けて移動し、この移動したフック部２６ａが鍵盤シャーシ１の前側下部に設けられた下限ストッパ部１９ｂに当接して、黒鍵１３を下限位置に規制するように構成されている。
【００３５】
ところで、黒鍵１３の鍵操作部２１は、図１および図６に示すように、その前後方向の長さが白鍵１２とほぼ同じ長さに形成され、図４に示すように、鍵本体部２０上にその前後方向にスライド可能に取り付けられるように構成されている。この場合、鍵操作部２１は、図９および図１０に示すように、押鍵操作される操作部本体３０と、この操作部本体３０の下面に設けられたスライド部３１とを有している。この操作部本体３０は、下側が開放された中空状のほぼ角棒状に形成されている。
【００３６】
すなわち、この操作部本体３０は、図９に示すように、その前端部（図９では左端部）が高く、後部側（図９では右側）に向かうに従って次第に低くなるように形成されている。スライド部３１は、図１１に示すように、操作部本体３０とほぼ同じ長さの帯板状に形成され、図１０（ｂ）に示すように、操作部本体３０の下面に溶着や接着などによって取り付けられることにより、操作部本体３０の下面を塞ぐように構成されている。
【００３７】
この場合、黒鍵１３は、図４〜図１２に示すように、鍵本体部２０上に鍵操作部２１を鍵本体部２０の前後方向にスライド可能にガイドするガイド部材３３を備えている。このガイド部材３３は、図４および図８に示すように、鍵本体部２０上に設けられたガイドピン３４と、図１０および図１１に示すように、鍵操作部２１の操作部本体３０における下面のスライド部３１に設けられて、ガイドピン３４が鍵本体部２０の前後方向に沿って相対的に移動するガイド溝３５とを備えている。
【００３８】
ガイドピン３４は、図５および図８に示すように、鍵本体部２０上に起立して設けられた軸部３４ａと、この軸部３４ａの上部に設けられた大径の頭部３４ｂとを有している。このガイドピン３４は、図８に示すように、鍵本体部２０の上面における前端部（図８では左端部）と後端部（図８では右端部）とにそれぞれ設けられている。ガイド溝３５は、図１１に示すように、鍵操作部２１におけるスライド部３１の前部側（図１１では左側部）から後端部（図１１では右端部）に亘って連続し、その後端部から後方（図１１では右側）に向けて開放されている。
【００３９】
この場合、鍵操作部２１の操作部本体３０の後端部（図９では右端部）には、図１０（ａ）および図１０（ｂ）に示すように、ガイドピン３４の頭部３４ｂが操作部本体３０の後方からその内部に向けて挿入する開口部３０ａが設けられている。これにより、ガイドピン３４は、その軸部３４ａが鍵操作部２１の後端部側からガイド溝３５内に挿入すると共に、頭部３４ｂが鍵操作部２１の後端部側から操作部本体３０内に挿入するように構成されている。
【００４０】
このため、このガイド部材３３は、図１０（ａ）および図１０（ｂ）に示すように、ガイドピン３４の軸部３４ａが鍵操作部２１の後部側からスライド部３１のガイド溝３５内に挿入すると共に、ガイドピン３４の頭部３４ｂが操作部本体３０内に挿入してスライド部３１の上面を摺動することにより、鍵操作部２１が鍵本体部２０上で上下方向にガタつくことがなく、鍵操作部２１を鍵本体部２０の前後方向にガイドするように構成されている。
【００４１】
また、この黒鍵１３は、図４〜図１２に示すように、鍵本体部２０に対する鍵操作部２１のスライド位置を規制するための位置規制部３７を備えている。この位置規制部３７は、図４および図９に示すように、スライド部３１の下面に設けられた第１、第２の各係合突起部３８ａ、３８ｂと、図８に示すように、鍵本体部２０の上面に設けられて第１、第２の各係合突起部３８ａ、３８ｂが係脱可能に係合する第１、第２の各係止穴３９ａ、３９ｂと、を備えている。
【００４２】
第１、第２の各係合突起部３８ａ、３８ｂのうち、第１の係合突起部３８ａは、図９および図１２に示すように、スライド部３１の下面の前端部（図９では左端部）における中間部に１つ設けられている。この場合、スライド部３１における第１の係合突起部３８ａの周囲に位置する箇所には、図１１および図１２に示すように、ほぼコ字形状にスリット孔４０が設けられている。このスリット孔４０は、第１の係合突起部３８ａを上下方向に弾性変形し易くするためのものである。
【００４３】
第２の係合突起部３８ｂは、図９および図１０（ａ）に示すように、スライド部３１の下面の後端部（図９では右端部）におけるガイド溝３５の両側にそれぞれ設けられている。このため、この第２の係合突起部３８ｂは、ガイド溝３５によって上下方向に弾性変形し易く構成されている。この場合、第１の係合突起部３８ａは、スライド部３１に１個設けられているだけであるから、第２の係合突起部３８ｂよりも、少し大きく形成されていることが望ましい。
【００４４】
また、第１、第２の各係止穴３９ａ、３９ｂのうち、第１の係止穴３９ａは、図８に示すように、鍵本体部２０の上面における前端部（図８では左端部）に１つ設けられている。また、第２の各係止穴３９ｂは、鍵本体部２０の上面における後端部（図８では右端部）の両側にそれぞれ設けられている。この場合にも、第１の係止穴３９ａは、第２の係止穴３９ｂよりも、少し大きく形成されていることが望ましい。
【００４５】
これにより、位置規制部３７は、図７に示すように、鍵本体部２０に対して鍵操作部２１を後方に向けてスライドさせて、鍵操作部２１の前端部（図７では左端部）が操作部本体３０の前端部に対応した際に、スライド部３１の第１の係合突起部３８ａが鍵本体部２０の第１の係止穴３９ａに係合して、鍵操作部２１を鍵本体部２０に対して位置規制するように構成されている。
【００４６】
また、この位置規制部３７は、図４に示すように、鍵本体部２０に対して鍵操作部２１を前方に向けてスライドさせて、鍵操作部２１の前端部（図４では左端部）が操作部本体３０の前端部（図４では左端部）から前側に突出して白鍵１２の前端部（図２では左端部）に対応した際に、スライド部３１の第２の係合突起部３８ｂが鍵本体部２０の第２の係止穴３９ｂに係合して、鍵操作部２１を鍵本体部２０に対して位置規制するように構成されている。
【００４７】
次に、このような電子鍵盤楽器の作用について説明する。
まず、この電子鍵盤楽器で演奏する場合には、図６および図７に示すように、黒鍵１３の鍵操作部２１を鍵本体部２０に対して後方（図７では右側）に向けてスライドさせる。このときには、黒鍵１３のガイド部材３３におけるガイドピン３４の軸部３４ａが鍵操作部２１におけるスライド部３１のガイド溝３５に沿って移動すると共に、ガイドピン３４の頭部３４ｂがスライド部３１の上面を摺動する。これにより、鍵操作部２１は、鍵本体部２０上で上下方向にガタつくことがなく、鍵本体部２０の後方に向けて滑らかにスライドする。
【００４８】
このように、鍵操作部２１が鍵本体部２０上を後方に向けてスライドするときには、位置規制部３７におけるスライド部３１の第２の係合突起部３８ｂが、鍵本体部２０の第２の係止穴３９ｂから弾力的に離脱して、鍵本体部２０の後方に移動する。このため、位置規制部３７の第１、第２の各係合突起部３８ａ、３８ｂは、鍵本体部２０上に存在せず、鍵本体部２０から離れている。
【００４９】
そして、鍵操作部２１が鍵本体部２０上を後方に向けてスライドして、鍵操作部２１の前端部（図７では左端部）が操作部本体３０の前端部（図７では左端部）に対応するときには、図４に２点鎖線で示すように、位置規制部３７の第１の係合突起部３８ａが、鍵本体部２０における前端部上に乗り上げて、鍵本体部２０の第１の係止穴３９ａに係合する。
【００５０】
このときには、第１の係合突起部３８ａがスリット孔４０によって弾力的に押し上げられるので、第１の係合突起部３８ａが鍵本体部２０の前端部上に容易に乗り上げる。これにより、図７に示すように、位置規制部３７におけるスライド部３１の第１の係合突起部３８ａが鍵本体部２０の第１の係止穴３９ａに係合して、鍵操作部２１が鍵本体部２０に対して位置規制される。
【００５１】
この状態では、図４の２点鎖線および図７に示すように、鍵操作部２１の後端部（図７では右端部）が操作部本体３０の後端部（図７では右端部）および白鍵１２の後端部（図７では右端部）から後方に向けて突出するが、鍵操作部２１の前端部（図７では左端部）が操作部本体３０の前端部（図７では左端部）に対応して白鍵１２の前端部（図７では左端部）の後方に位置するので、一般的な鍵盤装置と同じ鍵２の配列状態になる。
【００５２】
このため、一般的な鍵盤装置と同様、押鍵操作によって良好に演奏することができる。すなわち、図２において白鍵１２を押鍵操作すると、白鍵１２の後端部に設けられた回転取付部１４の樹脂ヒンジ部１５が押鍵操作に応じて撓むことにより、白鍵１２が樹脂ヒンジ部１５を中心に反時計回りに回転する。これに伴って、白鍵１２の一対のスイッチ押圧部１７ａ、１７ｂが鍵スイッチ部３の一対の膨出部９ａ、９ｂを順次時間差をもって押圧するので、鍵スイッチ部３がスイッチ信号を出力して楽音を放音する。
【００５３】
また、図４に２点鎖線で示す状態において、黒鍵１３の鍵操作部２１を押鍵操作すると、黒鍵１３の鍵本体部２０の後端部（図４では右端部）に設けられた回転取付部２２の樹脂ヒンジ部２３が押鍵操作に応じて撓むことにより、白鍵１２と同様、黒鍵１３が樹脂ヒンジ部２３を中心に反時計回りに回転する。これに伴って、黒鍵１３の鍵本体部２０に設けられた一対のスイッチ押圧部２５ａ、２５ｂが、鍵スイッチ部３の一対の膨出部９ａ、９ｂを時間差をもって順次押圧するので、白鍵１２と同様、鍵スイッチ部３がスイッチ信号を出力して楽音を放音する。
【００５４】
次に、この電子鍵盤楽器を使用しない場合について説明する。
このときには、図７に示す状態において、黒鍵１３の鍵操作部２１を鍵本体部２０の前側（図７では左側）にスライドさせる。このときにも、黒鍵１３のガイド部材３３におけるガイドピン３４の軸部３４ａが鍵操作部２１におけるスライド部３１のガイド溝３５に沿って移動すると共に、ガイドピン３４の頭部３４ｂがスライド部３１の上面を摺動する。これにより、鍵操作部２１は、鍵本体部２０上で上下方向にガタつくことがなく、鍵本体部２０の前方に向けて滑らかにスライドする。
【００５５】
このように、鍵操作部２１が鍵本体部２０上を前方に向けてスライドするときには、位置規制部３７におけるスライド部３１の第１の係合突起部３８ａが、鍵本体部２０の第１の係止穴３９ａから弾力的に離脱して、鍵本体部２０の前方に移動する。このときには、第１の係合突起部３８ａがスリット孔４０によって弾力的に押し上げられるので、第１の係合突起部３８ａが鍵本体部２０の前端部から容易に離脱して前方に移動する。
【００５６】
そして、鍵操作部２１が鍵本体部２０上を前側（図７では左側）に向けてスライドして、鍵操作部２１の前端部（図７では左端部）が白鍵１２の前端部（図７では左端部）に対応して揃うと、図２および図４の実線で示すように、位置規制部３７におけるスライド部３１の第２の係合突起部３８ｂが鍵本体部２０の第２の係止穴３９ｂに係合して、鍵操作部２１が鍵本体部２０に対して位置規制される。
【００５７】
この状態では、図１、図２および図４に示すように、黒鍵１３の鍵操作部２１の後端部（図４では右端部）が鍵本体２０の後端部（図４では右端部）および白鍵１２の後端部（図４では右端部）に対応して揃うと共に、黒鍵１３の鍵操作部２１の前端部（図２では左端部）が白鍵１２の前端部（図２では左端部）に対応して揃う。これにより、楽器全体の奥行き方向の長さが短くなり、楽器全体がコンパクトになる。
【００５８】
すなわち、楽器全体の奥行き方向の長さが短くなると、楽器全体が鍵２の配列方向に沿って帯状に細長くなる。このため、図１３に示すように、細長い電子鍵盤楽器を円筒形状の収納ケース４１にコンパクトに収納することができるので、収納ケース４１に設けられたベルト４２を肩に掛けて良好に携帯することができる。このため、この電子鍵盤楽器は、携帯性および運搬性が良い。
【００５９】
このように、この電子鍵盤楽器によれば、黒鍵１３が、鍵盤シャーシ１上に上下方向に回転可能な状態で取り付けられた鍵本体部２０と、この鍵本体部２０上にその前後方向にスライド可能に取り付けられた鍵操作部２１とに、分割された構成であるから、白鍵１２と黒鍵１３とからなる複数の鍵２における前後方向の長さを短くしても、演奏に支障が生じることなく、装置全体の小型化を図ることができる。
【００６０】
すなわち、この電子鍵盤楽器では、演奏する際に、黒鍵１３の鍵操作部２１を鍵本体部２０上でその後側に向けてスライドさせることにより、黒鍵１３の鍵操作部２１の前端部を白鍵１２の前端部よりも後方に位置させて、一般的な鍵盤装置の鍵配列状態と同じ状態にすることができる。また、演奏しないときには、黒鍵１３の鍵操作部２１を鍵本体部２０上でその前側に向けてスライドさせることにより、黒鍵１３の鍵操作部２１と白鍵１２とをその前後方向にほぼ揃えた配列状態にすることができる。
【００６１】
このため、この電子鍵盤楽器では、白鍵１２の前後方向の長さを短くしても、黒鍵１３の鍵操作部２１の前後方向の長さを十分に確保することができると共に、演奏するときに黒鍵１３の鍵操作部２１を後方にスライドさせて、黒鍵１３の鍵操作部２１と白鍵１２との前後方向における配列状態を最適化することができるので、演奏者に違和感が生じることがなく、良好に演奏することができる。
【００６２】
また、この電子鍵盤楽器では、演奏しないときに、黒鍵１３の鍵操作部２１を前方にスライドさせて、装置全体の奥行きを短くすることができるので、装置全体の小型化を図ることができる。すなわち、楽器全体の奥行きを短くすると、楽器全体を帯状に細長くすることができる。これにより、電子鍵盤楽器の携帯性および運搬性が良く、円筒形状の収納ケース４１にコンパクトに収納することができるので、良好に携帯することができると共に、梱包作業が容易で梱包費を安くすることができる。
【００６３】
さらに、この電子鍵盤楽器では、鍵本体部２０上に鍵操作部２１を鍵本体部２０の前後方向にスライド可能にガイドするガイド部材３３を備えていることにより、黒鍵１３の鍵操作部２１を鍵本体部２０上でその前後方向に円滑にスライドさせることができる。すなわち、このガイド部材３３は、鍵本体部２０上に設けられたガイドピン３４と、鍵操作部２１の下面に設けられて、ガイドピン３４が鍵本体部２０の前後方向に沿って相対的に移動するガイド溝３５とを備えているので、黒鍵１３の鍵操作部２１を円滑に且つ良好にガイドしながらスライドさせることができる。
【００６４】
また、この電子鍵盤楽器では、鍵本体部２０に対する鍵操作部２１のスライド位置を規制するための位置規制部３７を備えていることにより、黒鍵１３の鍵操作部２１を鍵本体部２０に対してスライドさせて所定位置に確実に且つ良好に位置規制することができる。この場合、位置規制部３７は、スライド部３１の下面に設けられた第１、第２の各係合突起部３８ａ、３８ｂと、鍵本体部２０の上面に設けられて第１、第２の各係合突起部３８ａ、３８ｂが係脱可能に係合する第１、第２の各係止穴３９ａ、３９ｂとで構成されているので、構造が簡単で、黒鍵１３の鍵操作部２１を鍵本体部２０に対して確実に且つ良好に位置規制することができる。
【００６５】
すなわち、この位置規制部３７によれば、鍵本体部２０に対して鍵操作部２１を後方に向けてスライドさせて、鍵操作部２１の前端部が操作部本体３０の前端部に対応した際に、スライド部３１の第１の係合突起部３８ａが鍵本体部２０の第１の係止穴３９ａに係合することにより、鍵操作部２１を鍵本体部２０に対して正確に且つ確実に位置規制することができる。
【００６６】
この場合、スライド部３１の第１の係合突起部３８ａは、その周囲にスリット孔４０が設けられているので、第１の係合突起部３８ａが鍵本体部２０に乗り上げて第１の係止穴３９ａに係合する際、または第１の係合突起部３８ａが第１の係止穴３９ａから離脱する際、スリット孔４０によって第１の係合突起部３８ａを容易に弾性変形させることができ、これにより鍵本体部２０に対して鍵操作部２１を円滑にスライドさせることができる。
【００６７】
また、この位置規制部３７によれば、鍵本体部２０に対して鍵操作部２１を前方に向けてスライドさせて、鍵操作部２１の前端部が操作部本体３０の前端部から前側に突出して白鍵１２の前端部に対応した際に、スライド部３１の第２の係合突起部３８ｂが鍵本体部２０の第２の係止穴３９ｂに係合することにより、鍵操作部２１を鍵本体部２０に対して正確に且つ確実に位置規制することができる。
【００６８】
さらに、この電子鍵盤楽器によれば、黒鍵１３の鍵操作部２１が、下側に開放された中空状の操作部本体３０と、この操作部本体３０の下面に設けられたスライド部３１とを有する構造であるから、操作部本体３０を容易に成形することができるので、操作部本体３０を自由な形状に形成することができ、これによりデザイン性の高いものを提供することができると共に、操作部本体３０の成形時における樹脂の色を自由に選択することができるので、色のバリエーションが豊富になり、これによってもデザイン性の高いものを提供することができる。
【００６９】
この場合、スライド部３１は、下側に開放された中空状の操作部本体３０の下面を塞ぐ板状に形成され、操作部本体３０と共に鍵本体部２０上をスライドする構成であるから、スライド部３１にガイド部材３３のガイド溝３５を設け、このガイド溝３５に鍵本体部２０のガイドピン３４を移動可能に挿入させることにより、確実に且つ良好に黒鍵１３の鍵操作部２１をガイドすることができる。
【００７０】
また、ガイドピン３４は、軸部３４ａと頭部３４ｂとを有しているので、ガイドピン３４の軸部３４ａが鍵操作部２１の後部側からスライド部３１のガイド溝３５内に挿入すると共に、ガイドピン３４の頭部３４ｂが操作部本体３０内に挿入してスライド部３１の上面を摺動することにより、鍵操作部２１が鍵本体部２０上で上下方向にガタつくことがなく、鍵操作部２１を鍵本体部２０の前後方向に円滑にガイドすることができる。
【００７１】
なお、上述した実施形態では、黒鍵１３の鍵操作部２１における板状のスライド部３１に、その前部側から後端部に亘ってガイド部材３３のガイド溝３５が連続して設けられていると共に、このスライド部３１の後端部からガイド溝３５が後方に向けて開放されている構成である場合について述べたが、これに限らず、例えば図１４に示す変形例のように、ガイド溝４５を形成しても良い。
【００７２】
すなわち、図１４に示されたガイド溝４５は、スライド部３１に、その前端部から後端部に亘って設けられている。このガイド溝４５の所定箇所、つまり鍵本体部２０が鍵操作部２１の中間部分に対応する状態で、鍵本体部２０上の前端部側と後端部側にそれぞれ設けられた各ガイドピン３４に対応する箇所には、ガイドピン３４の頭部３４ｂが下側から挿入する挿入孔４６がそれぞれ設けられている。
【００７３】
このように構成すれば、ガイド溝４５の挿入孔４６にガイドピン３４の頭部３４ｂを対応させ、この状態で鍵操作部２１を鍵本体部２０上にその上方から配置することにより、ガイド溝４５の挿入孔４６を通してガイドピン３４の頭部３４ｂを鍵本体部２０内に挿入させることができる。このため、スライド部３１の後端部から後方に向けてガイド溝４５を開放させる必要がないので、外観的にもデザイン的にも好ましいものを提供することができる。
【００７４】
この場合にも、ガイドピン３４の軸部３４ａが鍵操作部２１の後部側からスライド部３１のガイド溝４５内に挿入すると共に、ガイドピン３４の頭部３４ｂが操作部本体３０内に挿入してスライド部３１の上面を摺動するので、上述した実施形態と同様、鍵操作部２１が鍵本体部２０上で上下方向にガタつくことがなく、鍵操作部２１を鍵本体部２０の前後方向に滑らかにスライドさせることができる。
【符号の説明】
【００７５】
１  鍵盤シャーシ
２  鍵
３  鍵スイッチ部
１２  白鍵
１３  黒鍵
１４、２２  回転取付部
１５、２３  樹脂ヒンジ部
１７ａ、１７ｂ、２５ａ、２５ｂ  スイッチ押圧部
２０  鍵本体部
２１  鍵操作部
３０  操作部本体
３１  スライド部
３３  ガイド部材
３４  ガイドピン
３４ａ  軸部
３４ｂ  頭部
３５、４５  ガイド溝
３７  位置規制部
３８ａ、３８ｂ  第１、第２の各係合突起部
３９ａ、３９ｂ  第１、第２の各係止穴
４０  スリット孔
４６  挿入孔
【図１】
2011227273.tif 000003
【図２】
2011227273.tif 000004
【図３】
2011227273.tif 000005
【図４】
2011227273.tif 000006
【図５】
2011227273.tif 000007
【図６】
2011227273.tif 000008
【図７】
2011227273.tif 000009
【図８】
2011227273.tif 000010
【図９】
2011227273.tif 000011
【図１０】
2011227273.tif 000012
【図１１】
2011227273.tif 000013
【図１２】
2011227273.tif 000014
【図１３】
2011227273.tif 000015
【図１４】
2011227273.tif 000016